(57)【要約】【課題】ペダル等の操作部へ、選択した効果に対するパラメータを割り当てる際に、効果数等が増えても割り当て操作が円滑に行えるようにすること。【解決手段】有効化されたパラメタ値変更つまみが操作されたことを検出するとＬＥＤ４０を点灯制御して、パラメタ値変更ペダル３００に、当該パラメタ値変更つまみのパラメタを割り当て可能であることを通知する。ＬＥＤ４０が点灯中にペダル割り当てスイッチを押下すると、パラメタ値変更ペダル３００に、当該パラメタ値変更つまみのパラメタが割り当てられ、以降、パラメタ値変更ペダル３００の踏み込み量に応じてパラメタ値を変更制御するので、ＬＥＤ４０の点灯通知によって割り当て可能なタイミングを把握してペダル割り当てスイッチ４２の操作をするだけでパラメタ割り当てが円滑に行えるようになる。【選択図】  図１  
2005115241.tif 000002
【特許請求の範囲】
【請求項１】
音楽信号に効果を付加する効果付加装置において、
複数種類の効果の内で採用する１つの効果を選択操作するための効果選択操作手段と、
前記効果選択操作手段で選択操作される効果の夫々に対して固有に予め設定されているパラメータ値のみを変更操作容易に、複数の操作部の内で当該変更操作に関係する操作部が分かるように表示制御を行う表示制御手段と、
この変更操作に関係する操作部のみの操作を有効化する有効化制御手段と、
前記有効化制御手段によって有効化された操作部の操作が行われると、第２の操作部に対して、前記変更操作に関係する操作部で操作可能なパラメータを割り当て可能なことを通知する通知手段と、
この通知が行われている最中に第３の操作部が操作されることによって、前記第２の操作部に対して前記変更操作に関係する操作部で操作可能なパラメータを割り当てこの第２の操作部の操作によって当該パラメータ値の変更操作を可能にするパラメータ割り当て処理手段と、を備えたことを特徴とする効果付加装置。
【請求項２】
請求項１に記載の効果付加装置において、
前記表示制御手段は、
前記効果選択操作手段で選択操作される効果の夫々に対して固有に予め設定されているパラメータ値をのみを変更操作容易に、複数の操作部の内で当該変更操作に関係する操作部に対して設けられている点灯部を点灯表示することを特徴とする効果付加装置。
【請求項３】
請求項１および２の内のいずれか一項に記載の効果付加装置において、
前記通知手段は、前記変更操作に関係する操作部で操作可能なパラメータを割り当て可能なことを点灯部で点灯通知するように構成され、更に、この点灯部と前記第３の操作部とは一体となって構成されていることを特徴とする効果付加装置。
【請求項４】
請求項１、２および３の内のいずれか一項に記載の効果付加装置において、
前記第２の操作部は、フットペダルで構成されていることを特徴とする効果付加装置。
【発明の詳細な説明】
【技術分野】
【０００１】
本発明は、楽音信号や音声信号等の音楽信号に効果を付加する効果付加装置に関する。
【背景技術】
【０００２】
従来から、入力される楽音信号や音声信号等に、例えばディレイ、ビブラート等の様々な効果を付加する効果付加装置が提案されている。そして、楽音信号や音声信号等の音楽信号に効果を付加して実際に効果付加装置を操作する場合には、フットペダルに対して、採用する効果に対するパラメータを割り当て、このフットペダルの踏み込み操作によってパラメータ値を変更しながら楽器の演奏等を行っていた。フットペダルへのパラメータの割り当てをより具体的に説明すると、先ず、ペダルアサインボタンを押し、次に、パラメータボタンを操作して変更対象となるパラメータを選定し、バリューダイアルを操作してパラメータ値を適当な値に変更する（例えば、特許文献１参照）。なお、１つの効果に対して設定すべきパラメータが複数存在する場合には、変更対象となるパラメータを変えてこの操作を繰り返し行っていた。
【０００３】
【特許文献１】特開平１０−６９２７４号公報（第４−５頁、第２図）
【発明の開示】
【発明が解決しようとする課題】
【０００４】
このように、従来の効果付加装置にあっては、１つの効果に対して設定すべきパラメータが多く存在する場合には、ペダルへのパラメータの割り当て操作量が多く、複雑な割り当て操作が要求されていた。また、採用可能な効果の種類が増えることによっても、同様に、複雑な割り当て操作が要求されていた。
【０００５】
本発明は、かかる従来の課題を解決するためになされたもので、ペダル等の操作部へ選択した効果に対するパラメータを割り当てる際に、効果の数やパラメータが増えても割り当て操作が円滑に行えるようにした効果付加装置を提供することを目的とする。
【課題を解決するための手段】
【０００６】
上記目的を達成するために、本発明は、音楽信号に効果を付加する効果付加装置において、
複数種類の効果の内で採用する１つの効果を選択操作するための効果選択操作手段と、
前記効果選択操作手段で選択操作される効果の夫々に対して固有に予め設定されているパラメータ値のみを変更操作容易に、複数の操作部の内で当該変更操作に関係する操作部が分かるように表示制御を行う表示制御手段と、
この変更操作に関係する操作部のみの操作を有効化する有効化制御手段と、
前記有効化制御手段によって有効化された操作部の操作が行われると、第２の操作部に対して、前記変更操作に関係する操作部で操作可能なパラメータを割り当て可能なことを通知する通知手段と、
この通知が行われている最中に第３の操作部が操作されることによって、前記第２の操作部に対して前記変更操作に関係する操作部で操作可能なパラメータを割り当てこの第２の操作部の操作によって当該パラメータ値の変更操作を可能にするパラメータ割り当て処理手段と、を備えたことを特徴とするようにした。
【０００７】
この発明によれば、表示制御手段は、効果選択操作手段で選択操作される効果の夫々に対して固有に予め設定されているパラメータ値のみを変更操作容易に、複数の操作部の内で当該変更操作に関係する操作部が分かるように表示制御を行い、有効化制御手段が、この変更操作に関係する操作部のみの操作を有効化するので、操作者は必要な操作部のみの操作を行うことが可能になる。そして、通知手段が、有効化された操作部の操作が行われると、第２の操作部に対して、前記変更操作に関係する操作部で操作可能なパラメータを割り当て可能なことを通知し、割り当て処理手段が、この通知が行われている最中に第３の操作部が操作されることによって、第２の操作部に対して変更操作に関係する操作部で操作可能なパラメータを割り当てこの第２の操作部の操作によって当該パラメータ値の変更操作を可能にするので、通知によって割り当て可能なタイミングを把握して第３の操作部の操作をするだけで、第２の操作部へのパラメタ割り当てが円滑に行えるようになる。
【０００８】
また、請求項１に記載の効果付加装置において、前記表示制御手段が、前記効果選択操作手段で選択操作される効果の夫々に対して固有に予め設定されているパラメータ値を変更操作容易に、複数の操作部の内で当該変更操作に関係する操作部に対して設けられている点灯部を点灯表示することを特徴とする構成とすることができる。さらに、前記通知手段は、前記変更操作に関係する操作部で操作可能なパラメータを割り当て可能なことを点灯部で点灯通知するように構成され、更に、この点灯部と前記第３の操作部とを一体となって構成することも、一層の操作性の向上の点から好ましい。そして、前記第２の操作部は、フットペダルで構成することができる。
【発明の効果】
【０００９】
本発明によれば、ペダル等の操作部へ選択した効果に対するパラメータを割り当てる際に、効果の数やパラメータが増えても割り当て操作が円滑に行えるようにした効果付加装置を実現することが可能になるという効果が得られる。
【発明を実施するための最良の形態】
【００１０】
以下、本発明を実施するための最良の形態を図面を参照しつつ説明する。
【００１１】
（構成）
図１は効果付加装置１の構成図である。図１に示すように、この効果付加装置１は、入力端子２１５に入力される楽音信号（又は音声信号）等の音楽信号をアナログ・デジタル変換するＡ／Ｄ変換器２０５と、このデジタル信号に対してデジタル係数等を変化させて所要の効果を付加する処理を施す機能を少なくとも有するＤＳＰ２００と、このＤＳＰ２００からの効果付加信号をデジタル・アナログ変換して出力端子２２０から効果付加信号を出力させるＤ／Ａ変換器２１０とを備えて、楽音信号等の音楽信号に対して効果付加を行うように構成されている。
【００１２】
また、ＣＰＵ１００は、ＲＡＭ１１０やＲＯＭ１０５に接続され、ＣＰＵ１００は、ＲＡＭ１１０をワークエリアとして、ＲＯＭ１０５の一部に記憶されている動作プログラムを実行することによって、後に説明する各種の動作が行われるように構成されている。更に、ＣＰＵ１００は、液晶表示デバイスであるＬＣＤ１２０に選択された効果やその効果固有に対応付けられているパラメタ等の所要の情報を表示する。
【００１３】
図１中の左上方の効果選択つまみ１０は、４つの効果「ディレイ（ＤＥＬＡＹ）」、「リバーブ（ＲＥＮＥＲＢ）」、「トレモロ（ＴＲＥＭＯＬＯ）」、および「ビブラート（ＶＩＢＲＡＴＯ）」のうちのいずれか１つを付加する効果として採用するための選択操作を行う操作部であり、時計又は反時計方向に、この効果選択つまみ１０を回転操作することによっていずれか１つの効果を選択することが可能になっている。そして、ＣＰＵ１００はこの効果選択つまみ１０でいずれの効果が選択されたかを把握可能に構成されている。なお、本実施形態では説明の容易化のため付加対象となる「効果」の種類は４種類としているが、効果の種類数は任意に設定し得ることは言うまでもない。また、付加する効果自体の有効・無効を設定するための効果オン・オフスイッチを設けた構成としても良い。
【００１４】
パラメタ値変更つまみ２０はパラメタ「ＳＰＥＥＤ」の値をそのつまみの操作量で変更する操作部である。同様に、パラメタ値変更つまみ２１はパラメタ「ＤＥＰＴＨ」の値をそのつまみの操作量で変更する操作部、パラメタ値変更つまみ２２はパラメタ「ＭＩＸ」の値をそのつまみの操作量で変更する操作部、パラメタ値変更つまみ２３はパラメタ「ＴＩＭＥ」の値をそのつまみの操作量で変更する操作部、パラメタ値変更つまみ２４はパラメタ「ＦＥＥＤＢＡＣＫ」の値をそのつまみの操作量で変更する操作部、パラメタ値変更つまみ２５はパラメタ「ＴＯＮＥ」の値をそのつまみの操作量で変更する操作部である。そして、ＣＰＵ１００は、これらの各つまみの操作量を把握して、変更されたパラメタ値を随時把握可能に構成されている。
【００１５】
なお、効果毎に固有に変更対象となるパラメタが設定されており、かかる情報はＲＯＭ１０５に記憶されている。例えば効果「ビブラート」ではビブラートの速さを変更するためのパラメタである「ＳＰＥＥＤ」と深さを変更するためのパラメタである「ＤＥＰＴＨ」とパラメタ「ＭＩＸ」の値が変更対象となる。これに対して、効果「リバーブ」はパラメタ「ＴＩＭＥ」とパラメタ「ＭＩＸ」の値が変更対象となる。このように効果固有に変更対象となるパラメタが設定されている。
【００１６】
さらに、ＬＥＤ３０、ＬＥＤ３１、ＬＥＤ３２、ＬＥＤ３３、ＬＥＤ３４、およびＬＥＤ３５の夫々が、パラメタ値変更つまみ２０、パラメタ値変更つまみ２１、パラメタ値変更つまみ２２、パラメタ値変更つまみ２３、パラメタ値変更つまみ２４およびパラメタ値変更つまみ２５の夫々に対応した位置に設けられている。
【００１７】
そして、ＣＰＵ１００はこれらＬＥＤ３０〜ＬＥＤ３５の点灯制御を行うように構成されている。ＣＰＵ１００は、選択された効果に対して、つまみ操作を行って変更すべきパラメタ値変更つまみに対応するＬＥＤを点灯し、この点灯前に、この変更すべきパラメタ値変更つまみの操作のみを有効化する（換言すれば受け付けるようにする）。例えば、効果選択つまみ１０の操作によって効果「ビブラート」が選択されたことを把握した場合には、パラメタ「ＳＰＥＥＤ」、「ＤＥＰＴＨ」および「ＭＩＸ」の値が変更対象となったことが分かるように、パラメタ値変更つまみ２０、パラメタ値変更つまみ２１およびパラメタ値変更つまみ２２に対応するＬＥＤ３０、ＬＥＤ３１、ＬＥＤ３２のみを点灯し、パラメタ値変更つまみ２０、パラメタ値変更つまみ２１およびパラメタ値変更つまみ２２の操作のみを有効化制御する。かくして、ＬＥＤを用いた簡素な構成で操作者は必要なパラメタ値変更つまみのみの操作を行うことが可能になる。なお、つまみ有効化制御の前にＬＥＤを点灯するようにしても良い。
【００１８】
さらに、ＣＰＵ１００には、ＬＥＤ４０（点灯部）がその内部に組み込まれて一体構成されたペダル割り当てスイッチ４２が接続されている。そして、有効化されたパラメタ値変更つまみが操作されたことを検出すると、そのパラメータがペダルで操作可能であれば、ＣＰＵ１００がＬＥＤ４０を点灯制御して、フットペダルで構成されているパラメタ値変更ペダル３００（以下、適宜、単に「ペダル３００」と記す）に、当該パラメタ値変更つまみのパラメタを割り当て可能であることを通知する。このＬＥＤ４０が点灯中にペダル割り当てスイッチ４２を押下すると、ペダル３００に対して、当該パラメタ値変更つまみのパラメタが割り当てられ、以降、ペダル３００の踏み込み量に応じて割り当てられたパラメタの値を変更制御するように構成されている。かくして、操作者は、ＬＥＤ４０の点灯通知によって割り当て可能なタイミングを把握してペダル割り当てスイッチ４２の操作を行うだけで、ペダル３００へのパラメタ割り当てが円滑に行えるようになる。また、ＬＥＤ４０とペダル割り当てスイッチ４２とが一体になって構成されているので一層操作性が良くなる。なお、フットペダルは各種音楽装置で利用されているため、その構造については本実施形態では詳述しないことにする。
【００１９】
また、図１のＲＯＭ１０５の一部には、付加する効果毎にＤＳＰに転送するパラメタ情報を記憶しており、このパラメタ情報は「パラメタ値変更つまみ番号、パラメタ名、パラメタの可変範囲及び分解能、パラメタの変化に対するＤＳＰ係数の算出法、ＤＳＰの係数の転送先先頭アドレス、ＤＳＰの係数の転送個数、ペダル対応・未対応のフラグ（１は対応、０は未対応）」を少なくとも含む情報となっている。
【００２０】
（動作）
次に、図２乃至図６のフローチャートを参照して効果付加装置１の動作を説明する。図２はメインルーチンの動作を説明するフローチャートである。先ず、ステップＳ２００において、ＣＰＵ１００は装置１全体の初期化を行う。なお、初期状態では所定の効果が選択された状態になっている。次いで、ステップＳ２０５において、効果が選択されたり変更されたして結局、効果選択されたと判定した場合（Ｙｅｓ）には「パラメタつまみ設定処理ルーチン」に移行してパラメタ値変更つまみで選択された効果のパラメタ値を調整可能とし、ステップＳ２１５に移行する。これ以外の場合（ステップＳ２０５のＮｏ）には直接、ステップＳ２１５のエディット処理ルーチンに移行する。ステップＳ２１５では後に説明するエディット処理ルーチンの処理を実行し、ステップＳ２２０に移行してペダル３００が踏み込まれたか否かを判定する。
【００２１】
ステップＳ２２０において、ペダル３００が踏み込まれたと判定された場合（Ｙｅｓ）にはステップＳ２２５に移行して、ペダル処理ルーチンの処理を実行し、この実行後ステップＳ２３０に移行する。これ以外の場合（ステップＳ２２２０のＮｏ）には直接ステップＳ２３０に移行する。ステップＳ２３０では本発明とは直接関係のない他のパネル処理等を行ってステップＳ２０５に戻る。以上の動作がメインルーチンの動作である。
【００２２】
次に、図３を参照して、図２のステップＳ２１０におけるパラメタつまみ設定処理ルーチンの動作を説明する。先ず、ステップＳ３００において、ＣＰＵ１００は、以前、ＲＯＭ１０５から読み出したパラメタ情報をクリアし、次いで、ステップＳ３０５において、選択採用する効果に対応するパラメタ値変更つまみに対して、そのパラメタ情報をＲＯＭ１０５から読み出して、最大値、最小値、分解能、パラメタ名等を設定する。例えば、効果「ビブラート」が選択採用されたことを把握した場合にはパラメタ「ＳＰＥＥＤ」、「ＤＥＰＴＨ」および「ＭＩＸ」に対応する、パラメタ値変更つまみ２０、パラメタ値変更つまみ２１およびパラメタ値変更つまみ２２に対して、「最大値、最小値、分解能、パラメタ名、表示パラメタ等」を設定する。ＣＰＵ１００は設定されたＬＣＤ１２０に選択された効果名を表示する。
【００２３】
そして、ステップＳ３１０において、パラメタ情報の設定されたパラメタ値変更つまみのみをエディット有効化する（つまり、つまみ操作によるパラメタ値変更を受け付け可能とする）。例えば、効果「ビブラート」が採用されたことを把握した場合にはパラメタ「ＳＰＥＥＤ」、「ＤＥＰＴＨ」および「ＭＩＸ」に対応する、パラメタ値変更つまみ２０、パラメタ値変更つまみ２１およびパラメタ値変更つまみ２２のみを有効化する。最後に、ステップＳ３１５において、有効化されたパラメタ値変更つまみに対応するＬＥＤを点灯する。例えば、パラメタ値変更つまみ２０、パラメタ値変更つまみ２１およびパラメタ値変更つまみ２２に対応するＬＥＤ３０、ＬＥＤ３１、ＬＥＤ３２のみを点灯する。かくして、選択される効果固有に予め対応付けられているパラメタを変更するパラメタ値変更つまみが容易に把握できるようになり円滑な操作が行える。
【００２４】
次に、図４を参照して、図２のステップＳ２１５におけるエディット処理ルーチンの動作を説明する。先ず、ステップＳ４００において、ＣＰＵ１００はパラメタ値変更つまみが操作されたか否かを判定する。操作されたと判定された場合（Ｙｅｓ）にはステップＳ４０５に移行し、これ以外の場合（Ｎｏ）にはステップＳ４２５にスキップする。ステップＳ４０５において、ＣＰＵ１００はパラメタ値変更つまみが操作されたと判定した場合には、当該つまみに設定されたパラメタ情報に含まれるパラメタ名を取得し、これをＬＣＤ１２０に表示する。
【００２５】
次いで、ステップＳ４１０において、この操作されたパラメタ値変更つまみの操作量を検出し、更に、ステップＳ４１５において、パラメタ情報を参照して、この検出したつまみ操作量に対応するＤＳＰ２００の係数を演算し、そして、ステップＳ４２０において、求めたＤＳＰ係数をＤＳＰ２００に転送する。これを受け取ったＤＳＰ２００はこの係数に基づいて楽音信号に対して効果付加処理を行うことになる。そして、ステップＳ４２５において、ＬＣＤ１２０に表示されたパラメタがペダル３００で変更操作可能であるか否かを、パラメタ情報を参照して判定し、可能であると判定した場合（Ｙｅｓ）には、ステップＳ４３０に移行してアサイン処理リーチンに移行し、これ以外の場合（Ｎｏ）には本ルーチンを終了してリターンする。
【００２６】
次に、図５を参照してこのアサイン処理ルーチンを説明する。先ず、ステップＳ５００において、ＣＰＵ１００はＬＥＤ４０を点灯し、次いで、ステップＳ５０５において、ペダル割り当てスイッチ４２が押下操作されたか否かを判定する。押下操作されていないと判定した場合（Ｎｏ）には本ルーチンを終了しリターンし、押下操作されていると判定した場合（Ｙｅｓ）にはステップＳ５１０に移行する。そして、ＣＰＵ１００は、ステップＳ５１０において、ペダル割り当てスイッチ４２が押下操作されたと判定した場合には、パラメタ値変更ペダル３００に割り当てる、パラメタ値変更つまみのパラメタのパラメタ情報をこのパラメタ値変更ペダル３００のパラメタ情報としてコピーする。以降、ペダル３００の踏み込み操作によって割り当てられたパラメタのパラメタ値が変更操作可能となる。
【００２７】
最後に、図６を参照して、図２のステップＳ２２５におけるペダル処理ルーチンの動作を説明する。先ず、ステップＳ６００において、ＣＰＵ１００はパラメタ値変更ペダル３００の踏み込み量を検出し、次いで、このペダル踏み込み量に対応するＤＳＰ係数をパラメタ情報を参照して演算し、そして、ステップＳ６１０において、演算で求めたＤＳＰ係数をＤＳＰ２００に転送する。これを受け取ったＤＳＰ２００はこの係数に基づいて楽音信号に対して効果付加処理を行うことになる。以降、ペダル３００の踏み込み量に応じて割り当てられたパラメタのパラメタ値を変更調整することが可能となる。以上のようにして効果付加装置１が動作を行う。
【００２８】
図７は動作概要の説明図である。効果選択つまみ１０で効果「ＴＲＥＭＯＲＯ」が選択された場合には、パラメタ値変更つまみ２０、２１を有効化して、これらに対応するＬＥＤ３０、３１を点灯し、更に、効果「ＶＩＢＲＡＴＯ」が選択された場合には、パラメタ値変更つまみ２０、２１、２２を有効化して、これらに対応するＬＥＤ３０、３１、３２を点灯する。同様に、効果「ＤＥＬＡＹ」が選択された場合には、パラメタ値変更つまみ２２、２３、２４、２５を有効化して、これらに対応するＬＥＤ３２、３３、３４、３５を点灯し、そして、効果「ＲＥＶＥＲＢ」が選択された場合には、パラメタ値変更つまみ２２、２３を有効化して、これらに対応するＬＥＤ３２、３３を点灯する。
【００２９】
操作者は選択した効果に対応して点灯されるＬＥＤに対応するパラメタ値変更つまみのみを操作してパラメタ値を変更すると、そのパラメタがペダルで操作可能であれば、ＬＥＤ４０が点灯通知され、対応するパラメタ値変更つまみで変更対象となるパラメタを、ペダル３００に対して割り当て可能なことを把握する。この状態でペダル割り当てスイッチ４２を押下操作すると、パラメタがペダル３００に割り当てられて、以降、ペダル３００の踏み込み量で割り当てられたパラメタの値を変更操作することが可能になる。
【００３０】
以上説明してきたように、本発明の実施形態によれば、ＣＰＵ１００は、選択操作される効果の夫々に対して固有に予め設定されているパラメータ値を変更操作容易に、パラメータ値を変更操作するための複数のパラメタ値変更つまみ（操作部）の内で当該変更操作に関係する「つまみ」が分かるように表示制御を行い、この変更操作に関係する「つまみ」のみの操作を有効化するので、操作者は必要な「つまみ」のみの操作を行うことが可能になる。そして、有効化されたパラメタ値変更つまみの操作が行われると、そのパラメタがペダルで操作可能であれば、ペダル３００（第２の操作部）に対して、前記変更操作に関係する「つまみ」で操作可能なパラメータを、割り当て可能なことを通知する。この通知が行われている最中にペダル割り当てスイッチ４２（第３の操作部）が操作されることによって、ペダル３００（第２の操作部）に対して変更操作に関係するつまみ（操作部）で操作可能なパラメータを割り当てこのペダル３００（第２の操作部）の操作によって当該パラメータ値の変更操作を可能にするので、通知によって割り当て可能なタイミングを把握してペダル割り当てスイッチ４２（第３の操作部）の操作をするだけで、ペダル３００（（第２の操作部）へのパラメタ割り当てが円滑に行えるようになる。本実施形態では、第２の操作部としてペダルを用いて説明したが、例えば、スライドボリューム、感圧パッド等で同様の効果を得ることができる。
【００３１】
なお、図１に示すような効果付加装置１を単体で使用することも可能であるし、また、シンセサイザ等の楽器に効果付加装置１を搭載することも可能である。
【産業上の利用可能性】
【００３２】
以上説明してきたように、本発明は、楽音信号や音声信号等の音楽信号に効果を付加する効果付加装置に利用することができる。
【図面の簡単な説明】
【００３３】
【図１】効果付加装置１の構成図である。
【図２】効果付加装置１の動作を説明するためのフローチャートである。
【図３】効果付加装置１の動作を説明するためのフローチャートである。
【図４】効果付加装置１の動作を説明するためのフローチャートである。
【図５】効果付加装置１の動作を説明するためのフローチャートである。
【図６】効果付加装置１の動作を説明するためのフローチャートである。
【図７】効果付加装置１の動作概要の説明図である。
【符号の説明】
【００３４】
１    効果付加装置
１０  効果選択つまみ
２０  パラメタ値変更つまみ
２１  パラメタ値変更つまみ
２２  パラメタ値変更つまみ
２３  パラメタ値変更つまみ
２４  パラメタ値変更つまみ
２５  パラメタ値変更つまみ
３０  ＬＥＤ
３１  ＬＥＤ
３２  ＬＥＤ
３３  ＬＥＤ
３４  ＬＥＤ
３５  ＬＥＤ
４０  ＬＥＤ
４２  ペダル割り当てスイッチ
１００  ＣＰＵ
１０５  ＲＯＭ
１１０  ＲＡＭ
１２０  ＬＣＤ
２００  ＤＳＰ
２０５  Ａ／Ｄ変換器
２１０  Ｄ／Ａ変換器
３００  パラメタ値変更ペダル
【図１】
2005115241.tif 000003
【図２】
2005115241.tif 000004
【図３】
2005115241.tif 000005
【図４】
2005115241.tif 000006
【図５】
2005115241.tif 000007
【図６】
2005115241.tif 000008
【図７】
2005115241.tif 000009